(57)【要約】【課題】円すいころ軸受における内輪、円すいころ、保持器、及び外輪を一体に組み立てた状態でその形態を保持することができる組立方法を提供することを目的とする。【解決手段】本発明に係る円すいころ軸受の組立方法は、円すい形状の内輪軌道１１ａとこの内輪軌道１１ａの軸方向両側に設けられた小鍔部１１ｂ及び大鍔部１１ｃとを有する内輪１１と、円すい形状の外輪軌道１２ａを有する外輪１２と、前記内輪軌道１１ａ及び前記外輪軌道１２ａの間に配置される複数の円すいころ１３と、複数の円すいころ１３の周方向の間隔を保持する保持器１４とを一体に組み立てる第１工程、及び、外輪１２に対する円すいころ１３の大端面１３ｂ側への相対移動を制限する第２工程を含む。【選択図】図２
2014020380.tif 000002
【特許請求の範囲】
【請求項１】
円すい形状の内輪軌道とこの内輪軌道の軸方向両側に設けられた小鍔部及び大鍔部とを有する内輪と、円すい形状の外輪軌道を有する外輪と、前記内輪軌道及び前記外輪軌道の間に配置される複数の円すいころと、複数の円すいころの周方向の間隔を保持する保持器とを一体に組み立てる第１工程、及び、
前記外輪に対する前記円すいころの大端面側への相対移動を制限する第２工程
を含むことを特徴とする円すいころ軸受の組立方法。
【請求項２】
前記第２工程は、前記円すいころの小端面を前記小鍔部に当接させた状態で、前記外輪に対する前記円すいころの大端面側への相対移動を制限する、請求項１に記載の円すいころ軸受の組立方法。
【請求項３】
円すい形状の内輪軌道とこの内輪軌道の軸方向両側に設けられた小鍔部及び大鍔部とを有する内輪と、円すい形状の外輪軌道を有する外輪と、前記内輪軌道及び前記外輪軌道の間に配置される複数の円すいころと、複数の円すいころの周方向の間隔を保持する保持器とを一体に組み立てた状態で、前記外輪に対して着脱可能に取り付けられ、かつ当該外輪に対する前記円すいころの大端面側への移動を制限する位置規制具を備えていることを特徴とする円すいころ軸受の組立用治具。
【請求項４】
前記位置規制具は、前記小鍔部に前記円すいころの小端面を当接させた状態で、前記外輪に対する前記円すいころの大端面側への移動を制限する、請求項３に記載の円すいころ軸受の組立用治具。
【請求項５】
前記位置規制具が、周方向に間隔をあけて配置された一部の複数個の円すいころに対応して設けられる、請求項３又は４に記載の円すいころ軸受の組立用治具。
【請求項６】
前記保持器が、周方向に配列された複数の分割体からなる分割型保持器である請求項３〜５のいずれか１項に記載の円すいころ軸受の組立用治具。
【請求項７】
円すい形状の内輪軌道とこの内輪軌道の軸方向両側に設けられた小鍔部及び大鍔部とを有する内輪と、
円すい形状の外輪軌道を有する外輪と、
前記内輪軌道及び前記外輪軌道の間に配置される複数の円すいころと、
複数の円すいころの周方向の間隔を保持する保持器と、
前記内輪、外輪、円すいころ、及び保持器を一体に組み立てた状態で前記外輪に取り付けられ、当該外輪に対する前記円すいころの大端面側への移動を制限する請求項４〜６のいずれか１項に記載の位置規制具と、
を備えていることを特徴とする円すいころ軸受。
【発明の詳細な説明】
【技術分野】
【０００１】
本発明は、風力発電装置の主軸等を支持するための円すいころ軸受に好適に適用することができる組立方法及び組立用治具、並びに円すいころ軸受に関する。
【背景技術】
【０００２】
風力発電機の主軸を支持するために使用される転がり軸受としては、例えば円すいころ軸受があり、その保持器にはピン型保持器が使用される場合がある（例えば、特許文献１参照）。このピン型保持器は、円すいころの軸方向両側に配置された一対の保持リングと、周方向に間隔をあけて配設され、一対の保持リングに両端が連結される複数のピンとを備えている。そして、円すいころの中心軸線上に形成された貫通孔にピンを挿通させることによって、複数の円すいころの周方向の間隔が保持されるようになっている。
【０００３】
しかしながら、風力発電装置の主軸を支持するために使用される円すいころ軸受は、直径が１〜２ｍ程度もあり、非常に大型で重量も大きくなる。そのため、最近では、ピン型保持器に代えて、軽量化が可能な合成樹脂製の保持器が利用されつつある。ただし、合成樹脂製の保持器は、大型になる程その全体を一体成形するのが困難となるため、通常、周方向の一部分ごとに成形された分割型の保持器が用いられる（例えば、特許文献２参照）。
【先行技術文献】
【特許文献】
【０００４】
【特許文献１】特開２００８−２５６１６８号公報
【特許文献２】特開２０１２−７７８８２号公報
【発明の概要】
【発明が解決しようとする課題】
【０００５】
しかしながら、合成樹脂製の分割型保持器は、円すいころ軸受の組立性に難がある。つまり、円すいころ軸受を組み立てるには、内輪の外周側に保持器を環状に配列しつつ、保持器のポケットに円すいころを挿入していくが、保持器が分割型であると、内輪の外周側から離脱し易くなり、同時に円すいころも内輪から離脱し易くなる。そのため、内輪に保持器及び円すいころを組み付けた後に外輪をも組み付けることによって円すいころ軸受を一体の状態（完成品の状態）に組み立てる必要があり、さらに、円すいころ軸受を一体の状態で保持しておく必要もある。
また、一体の状態に組み立てた円すいころ軸受をハウジングや主軸に装着する場合、外輪及び内輪の軸心が正確に一致していることが望まれる。
【０００６】
本発明は、以上のような実情に鑑み、円すいころ軸受における内輪、円すいころ、保持器、及び外輪を一体に組み立てた状態で好適に保持することができる組立方法及び組立用治具、並びに円すいころ軸受を提供することを目的とする。
【課題を解決するための手段】
【０００７】
（１）本発明に係る円すいころ軸受の組立方法は、円すい形状の内輪軌道とこの内輪軌道の軸方向両側に設けられた小鍔部及び大鍔部とを有する内輪と、円すい形状の外輪軌道を有する外輪と、前記内輪軌道及び前記外輪軌道の間に配置される複数の円すいころと、複数の円すいころの周方向の間隔を保持する保持器とを一体に組み立てる第１工程、及び、前記外輪に対する前記円すいころの大端面側への相対移動を制限する第２工程
を含むことを特徴とする。
【０００８】
本発明の組立方法によれば、外輪に対する円すいころの大端面側への相対移動が制限されるので、内輪、保持器、円すいころ、及び外輪を一体に組み立てた完成品の状態で、その形態を好適に保持することができる。
【０００９】
（２）前記第２工程においては、前記円すいころの小端面を前記小鍔部に当接させた状態で、前記外輪に対する前記円すいころの大端面側への相対移動を制限することが好ましい。
このような構成によって、外輪と内輪との軸心を一致させることができる。そのため、一体の状態の円すいころ軸受をハウジングや軸に装着する作業を容易に行うことができる。
【００１０】
（３）本発明に係る円すいころ軸受の組立用治具は、円すい形状の内輪軌道とこの内輪軌道の軸方向両側に設けられた小鍔部及び大鍔部とを有する内輪と、円すい形状の外輪軌道を有する外輪と、前記内輪軌道及び前記外輪軌道の間に配置される複数の円すいころと、複数の円すいころの周方向の間隔を保持する保持器とを一体に組み立てた状態で、前記外輪に対して着脱可能に取り付けられ、かつ当該外輪に対する前記円すいころの大端面側への移動を制限する位置規制具を備えていることを特徴とする。
【００１１】
本発明の組立用治具によれば、外輪に対する円すいころの大端面側への相対移動が位置規制具によって制限されるので、内輪、保持器、円すいころ、及び外輪を一体に組み立てた完成品の状態で、その形態を好適に保持することができる。
【００１２】
（４）前記位置規制具は、前記小鍔部に前記円すいころの小端面を当接させた状態で、前記外輪に対する前記円すいころの大端面側への移動を制限することが好ましい。
このような構成によって、外輪と内輪との軸心を一致させることができる。そのため、一体の状態の円すいころ軸受をハウジングや軸に装着する作業を容易に行うことができる。
【００１３】
（５）前記位置規制具は、周方向に間隔をあけて配置された一部の複数個の円すいころに対応して設けられることが好ましい。
位置規制具は、全ての円すいころ対応して設けることも可能であるが、この場合、位置規制具の数量が多くなり、重量増やコスト増を招くだけでなく、位置規制具の着脱が煩雑になる。そのため、周方向に間隔をあけて配置された一部の複数個の円すいころに対応して位置規制具を設けることによって、重量増、コスト増を抑制し、位置規制具の着脱作業を容易に行うことができる。
【００１４】
（６）前記保持器は、周方向に配列された複数の分割体からなる分割型保持器であることが好ましい。
本発明は、分割型保持器以外の環状の保持器を備えた円すいころ軸受に適用することも可能であるが、内輪の径方向外側から保持器及び円すいころが離脱し易くなる分割型保持器を使用した円すいころ軸受に対して適用することがより好適である。
【００１５】
（７）本発明の円すいころ軸受は、円すい形状の内輪軌道とこの内輪軌道の軸方向両側に設けられた小鍔部及び大鍔部とを有する内輪と、円すい形状の外輪軌道を有する外輪と、前記内輪軌道及び前記外輪軌道の間に配置される複数の円すいころと、複数の円すいころの周方向の間隔を保持する保持器と、前記内輪、外輪、円すいころ、及び保持器を一体に組み立てた状態で前記外輪に取り付けられ、当該外輪に対する前記円すいころの大端面側への移動を制限する上記（４）〜（６）のいずれかに記載の位置規制具と、を備えていることを特徴とする。
【発明の効果】
【００１６】
本発明における円すいころ軸受の組立方法及び組立用治具、並びに円すいころ軸受によれば、内輪、円すいころ、保持器、外輪を一体に組み立てた状態に保持することができる。
【図面の簡単な説明】
【００１７】
【図１】本発明の一実施形態に係る円すいころ軸受の正面図である。
【図２】図１のＩＩ−ＩＩ矢視断面図である。
【図３】円すいころと保持器との関係を示す平面説明図である。
【図４】位置規制具と円すいころとの関係を示す平面説明図である。
【図５】変形例における位置規制具と円すいころとの関係を示す平面説明図である。
【図６】他の変形例における位置規制具と円すいころとの関係を示す平面説明図である。
【発明を実施するための形態】
【００１８】
以下、添付図面を参照しつつ、本発明の実施形態を詳細に説明する。
図１は、本発明の一実施形態に係る円すいころ軸受の正面図、図２は、図１のＩＩ−ＩＩ矢視断面図である。
本実施形態の円すいころ軸受１０は、例えば、風力発電装置の主軸を支持するために使用されるものであり、環状の内輪１１と、この内輪１１の径方向外方に配置された環状の外輪１２と、内輪１１と外輪１２との間に周方向に配列された複数の円すいころ１３と、複数の円すいころ１３の周方向の間隔を保持する保持器１４とを備えている。
【００１９】
内輪１１の外周面には、円すい形状に形成された内輪軌道１１ａが形成されている。また、この内輪軌道１１ａの軸方向両側には、径方向外方に突出する小鍔部１１ｂと大鍔部１１ｃとが形成されている。
外輪１２の内周面には、円すい形状に形成された外輪軌道１２ａが形成されている。
【００２０】
円すいころ１３は、截頭円すい（円すい台）形状に形成されており、内輪軌道１１ａ及び外輪軌道１２ａ上を転動可能である。円すいころ１３は、小鍔部１１ｂ及び大鍔部１１ｃによって内輪１１に対する軸方向の相対移動が制限されている。すなわち、円すいころ１３の小端面１３ａは、小鍔部１１ｂに当接することによって軸方向一方側（左側）への移動が制限され、円すいころ１３の大端面１３ｂは、大鍔部１１ｃに当接することによって軸方向他方側（右側）への移動が制限される。
【００２１】
図３は、円すいころと保持器との関係を示す平面説明図である。
保持器１４は、周方向に並べて配置された複数の分割体１５から構成されている。各分割体は、一対の環状部１５ａと、一対の環状部１５ａの間に架設され、周方向に間隔をあけて設けられた複数の柱部１５ｂとを備えている。一対の環状部１５ａと周方向に隣接する柱部１５ｂとによって囲まれた空間がポケット１５ｃとされ、このポケット１５ｃの内部に円すいころ１３が収容されている。
【００２２】
本実施形態の円すいころ１３には、内輪１１、円すいころ１３、保持器１４、及び外輪１２を一体に組み立てた状態（完成品の状態）で、その形態を保持するための組立用治具２０を備えている。この組立用治具２０は、円すいころ軸受１０が適用される風力発電装置等の装置（以下、「適用装置」ともいう）に組み付けるまで使用され、適用装置に組み付けられた後は円すいころ軸受１０から取り外される。本実施形態の組立用治具２０は、外輪１２に対する円すいころ１３の大端面１３ｂ側への移動を制限する複数の位置規制具２１によって構成されている。
【００２３】
位置規制具２１は、図１に示されるように、外輪１２に対して周方向に間隔をあけて取り付けられている。より具体的には、４個の位置規制具２１が、９０°間隔で取り付けられている。図２に示されるように、位置規制具２１は、略くの字状に屈曲した取付片２２と規制片２３とから構成されている。取付片２２は、外輪１２の軸方向一端面（右端面）に当接し、当該端面にボルト等の固定具２５によって着脱自在に取り付けられる。規制片２３は、外輪軌道１２ａに沿って配置され、その先端部が円すいころ１３の大端面１３ｂに当接されている。したがって位置規制具２１は、外輪１２に対する円すいころ１３の大端面１３ｂ側への移動を制限している。
【００２４】
位置規制具２１における規制片２３の長さＬは、次のように設定されている。すなわち、規制片２３の先端部を円すいころ１３の大端面１３ｂに当接させたとき、円すいころ１３の小端面１３ａが内輪１１の小鍔部１１ｂに当接するように、規制片２３の長さＬが設定されている。言い換えると、規制片２３は、図４に示されるように、円すいころ１３を矢印方向に押圧することによって小端面１３ａを小鍔部１１ｂに押しつけ、小鍔部１１ｂとの間で円すいころ１３を挟持している。
【００２５】
したがって、外輪１２に対して位置規制具２１を取り付けると、内輪１１及び外輪１２と円すいころ１３との隙間（ラジアル隙間及びアキシアル隙間）が無くなり、これらの相対位置が完全に固定される。同時に、内輪１１と外輪１２の軸心も一致する。そのため、内輪１１、円すいころ１３、保持器１４、及び外輪１２を一体に組み立てた状態で、その形態を好適に保持することができる。さらに、内輪１１と外輪１２の軸心が一致するので、一体に組み立てられた円すいころ軸受１０をハウジングや軸に装着する作業を容易に行うことができる。
【００２６】
なお、位置規制具２１における規制片２３の長さＬは、必ずしも円すいころ１３の小端面１３ａを内輪１１の小鍔部１１ｂに当接させるように設定されていなくてもよく、円すいころ１３の外周側から外輪１２が外れない程度に設定されていてもよい。この場合、内輪１１と外輪１２との軸心は一致しないが、一体化された円すいころ軸受１０の形態を保持することが可能となる。しかしながら、この場合には、位置規制具２１と円すいころ１３とが周方向に位置ずれしていまい、円すいころ１３を位置規制できなくなる可能性がある。したがって、このような不都合を防止するため、位置規制具２１の形状を次のように変形することができる。
【００２７】
図５は、変形例における位置規制具と円すいころとの関係を示す平面説明図である。
図５に示される変形例では、位置規制具２１における規制片２３の先端部には、円すいころ１３の大端面１３ｂ側の端部を嵌合させる凹部２３ａが形成されている。したがって、位置規制具２１によって円すいころ１３を押圧し、位置規制具２１と小鍔部１１ｂとの間で円すいころ１３を挟持しなくても、位置規制具２１と円すいころ１３との周方向の位置ずれを防止することができる。
【００２８】
図６は、他の変形例における位置規制具と円すいころとの関係を示す平面説明図である。
図６に示される変形例では、位置規制具２１が、２つの円すいころ１３に亘る範囲で配置されている。そして、位置規制具２１の規制片２３には、２つの円すいころ１３の間に嵌合される凸部２３ｂが形成されている。したがって、この変形例においても、位置規制具２１と円すいころ１３との周方向の位置ずれを防止することができる。
【００２９】
本発明は前述した実施形態に限定されるものではなく、特許請求の範囲に記載された発明の範囲内において種々の変形及び変更が可能である。
組立用治具２０における位置規制具２１の数は、２個以上の複数個であれば、特に限定されない。しかしながら、３個以上の位置規制具２１を等間隔に配置することがより好ましい。また、複数の位置規制具２１は、それぞれ別体として構成されているが、例えば、環状の連結部材によって一体的に連結されていてもよい。
【００３０】
本発明は、風力発電装置の主軸を支持するための円すいころ軸受１０に限らず、あらゆる装置に用いられる円すいころ軸受１０に適用することができる。
【符号の説明】
【００３１】
１０：円すいころ軸受、１１：内輪、１１ａ：内輪軌道、１１ｂ：小鍔部、１１ｃ：大鍔部、１２：外輪、１２ａ：外輪軌道、１３：円すいころ、１３ａ：小端面、１３ｂ：大端面、１４：保持器、１５：分割体、２０：組立用治具、２１：位置規制具
【図１】
2014020380.tif 000003
【図２】
2014020380.tif 000004
【図３】
2014020380.tif 000005
【図４】
2014020380.tif 000006
【図５】
2014020380.tif 000007
【図６】
2014020380.tif 000008